(57)【要約】【課題】本発明は、開口部が規格化されて市販される水差しをすぐ連結して水差しに満たされた水を酸素水、殺菌奪取水、水素水、イオン水のうち一つで構成される機能水に還元させることができるし、嵩を最小限に減らすことができるし、ねじ部が形成された開口部を有した水差しや周り突起が形成された開口部を有した水差しを互換的に連結できるようにする機能水生成装置を提供する。【解決手段】本発明は、機能水生成装置は内部に機能水生成手段が内蔵されて上、下部が上板と下板で塞がっている容器と、前記上板の中央に容器の内部と連通されるように形成されて、水差しの開口部を分離可能に連結する水差し連結部と、を含むことを特徴とする。【選択図】図２
2017507774.tif 000002
【特許請求の範囲】
【請求項１】
内部に機能水生成手段４が内蔵されて上板１１と下板１２を含む容器１と、前記上板１１の中央に容器１の内部と連通されるように形成される水差し連結部２と、を含んで、
前記水差し連結部２は、
前記容器１に結合して、内部または外部の周りには第１タップ部２１１が形成される第１連結管２１、及び前記第１タップ部２１１に分離可能に締結されて水差し１０の開口部２０の外周面に形成されるねじ部３０が締結される第２連結管２２と、を含んで、
前記第２連結管２２は、
下部に形成されて内部または外部には前記第１タップ部２１１に締結される連結ねじ部２２１aが形成される縮管部２２１と、該縮管部２２１の上部に内径が一体で延長形成されて内周縁には前記水差し１０の開口部２０の外周面が螺合する第２タップ部２２２ａが形成される拡管部２２２、を含むことを特徴とする機能水生成装置。
【請求項２】
内部に機能水生成手段４が内蔵されて上、下部が上板１１と下板１２で塞がっている容器１と、前記上板１１の中央に容器１の内部と連通されるように形成される水差し連結部２を含んで、
前記水差し連結部２は、
前記上板１１の中央に突き出されるように垂直で立てられて、内部または外部の周りには第１タップ部２１１が形成される第１連結管２１及び前記第１タップ部２１１に分離可能に締結されて、水差し１０の開口部２０の外周面に形成されるねじ部３０が締結される第２連結管２２と、を含んで、
前記第２連結管２２は、
下部に形成されて外周縁には前記第１タップ部２１１に締結される連結ねじ部２２１aが形成される縮管部２２１と、該縮管部２２１の上部に内径が拡張されるように一体で延長形成されて、内周縁には第２タップ部２２２ａが形成される拡管部２２２を含むことを特徴とする機能水生成装置。
【請求項３】
前記水差し連結部２は、
円筒形状で形成されて前記第２連結管２２の第２タップ部２２２ａの内部に挿入されて内部の上部周りには面取り部２３１が形成されて、水差し１０の開口部２０の外周面に形成される周り突起４０が圧接嵌合で挿入されるゴム材質の連結パッキング管(２３)、
をさらに含むことを特徴とする請求項または２に記載の機能水生成装置。
【請求項４】
前記機能水生成手段４は、粒子形態や単一で固形化された形態のアルカリ還元剤４１で構成されて、第１連結管２１の下部には複数の水通過ホール２１２ａが形成される水通過板２１２がさらに固定されることを特徴とする請求項１または２に記載の機能水生成装置。
【請求項５】
前記容器１は、
前記上板１１の周り上部に突き出されるように形成される周り突出板１３と、
前記周り突出板１３の外周面に形成される上部締結ねじ部１３１と、
周り板１４１の内周面には前記上部締結ねじ部１３１に分離可能に締結される締結タップ部１４２が形成されて容器１の上部をカバーする分離開閉カバー１４と、
をさらに含むことを特徴とする請求項１または２に記載の機能水生成装置。
【請求項６】
前記容器１は、
容器１の外周面の下部に形成されて前記分離開閉カバー１４の周り板１４１に形成される締結タップ部１４２が締結される下部締結ねじ部１５、
をさらに含むことを特徴とする請求項５に記載の機能水生成装置。
【請求項７】
前記機能水生成手段４は、
前記容器１の下板の上部に装着固定される充電池４２１を有する充電部４２と、
前記充電部４２と連結されて容器１の周りに引き出しされる公知された電気供給ジャック４３と、
前記充電部の上部に配置固定されて充電部４２と連結される基板４４と、
前記基板４４と連結されて容器１の周りに引き出しされるスイッチ４５と、
前記基板４４の上部に水平で配置固定されて水を電気分解する電極４６、
を含むことを特徴とする請求項１または２に記載の機能水生成装置。
【発明の詳細な説明】
【技術分野】
【０００１】
本発明は、本発明は、機能水生成装置に関するものであり、より詳細には、開口部が規格化されて市販される水差しをすぐ連結して水差しに満たされた水を酸素水、殺菌奪取水、水素水、イオン水(還元水)のうち一つで構成される機能水に還元させることができるし、嵩を最小限に減らすことができるし、ねじ部が形成された開口部を有した水差しや周り突起が形成された開口部を有した水差しを互換的に連結できるようにする機能水生成装置に関するものである。
【背景技術】
【０００２】
一般に、生水などの飲用水は密閉用キャップが具備されている透明容器に盛って保管するようになる。このような密閉型透明容器は収納される内容物によっておおよそ瓶の形態でその種類が多様に設けられている。
【０００３】
そして、最近になって健康に対する関心が高くなりながら自然健康食品の生成及び保管のための新しい形態の容器が発売開始されて使われている。よって、最近には人間の身中で老化や成人病の原因として指目されている活性酸素または酸性老廃物をとり除くためにアルカリ還元水に対する関心が増大されているし、アルカリ還元水を生成するためのさまざまな方法または装置などが提案されている。
【０００４】
これに、従来にアルカリ還元水を生成するための容器の一例で本出願人が既出願して登録を受けた大韓民国特許登録第１３０１９０４号の“液体収容容器”(以下、“従来の液体収容容器”と称する。)を見れば次のようである。
【０００５】
従来の液体収容容器は内部に空の空間が形成されて、上部と下部が開口された上層部と該上層部から下方に延長形成されて、内部に空の空間が形成された下層部でなされて液体を収容する容器と、前記容器上層部と下層部に形成される境界部で動きが可能に挿入装着されて、前記下層部に空気ブロック層を形成する上下分離板を含んで、前記上下分離板は複数の通気ホールが貫通形成されて、前記通気ホールは上部の直径が下部の直径より小さな上狭下広の円錐台形状でなされることを特徴とする。
【０００６】
そして、前記下層部にはアルカリ還元剤が具備されて、前記容器内部の液体をアルカリ還元水に還元させることができるようにするものである。
【先行技術文献】
【特許文献】
【０００７】
【特許文献１】大韓民国特許登録第１３０１９０４号“液体収容容器”(２０１３．０８．２５．)
【発明の概要】
【発明が解決しようとする課題】
【０００８】
ところが、前記のように構成される従来の液体収容容器は、水が満たされる上層部とアルカリ還元剤が満たされる下層部が単一の容器に形成されている。よって、従来の液体収容容器は水が満たされる上層部と下層部が一体で構成されることによって全体的な嵩が大きくなるようになる。
【０００９】
それで、従来の液体収容容器は、全体積の嵩が大きくなることによって運動や旅行などの野外活動をする場合に、運びにおいて多くの不便が伴うようになる問題点を有していた。
【００１０】
これに本発明は、前記のような従来の諸般問題点を解消するために案出されたものとして、本発明の目的は、開口部が規格化されて市販される水差しをすぐ連結して水差しに満たされた水を水素水、殺菌奪取水、酸素水、イオン水(還元水)のうち一つの機能水に還元させることができるようにする嵩を最小限に減らした機能水生成装置を提供することにある。
【００１１】
また、本発明の他の目的は、ねじ部が形成された開口部の外径が小さな水差しや、ねじ部が形成された開口部の外径が大きい水差し、または周り突起が形成された開口部を有した水差しを互換的に連結できるようにする機能水生成装置を提供することにある。
【００１２】
また、本発明の他の目的は、第１連結管の下部に水通過板を具備することで、粒子形態のアルカリ還元剤が水差しに流入されることを防止できるようにする機能水生成装置を提供することにある。
【００１３】
また、本発明の他の目的は、容器の上板周りに水差しの上部周りが密着される周り突出板を形成することで、水差しを覆した状態で水差しが傾くことを防止できるようにして、容器の上部に分離開閉カバーを具備することで容器の内部にほこりなどの異物が流入されることを防止できるようにする機能水生成装置を提供することにある。
【００１４】
また、本発明の他の目的は、容器の外周面の下部に分離開閉カバーを保管されるように締結することができる下部締結ねじ部を形成することで、分離開閉カバーの紛失を予防できるようにする機能水生成装置を提供することにある。
【００１５】
また、本発明の他の目的は、電極が含まれる機能水生成手段を充電部を通じて作動させることによって、室内または野外でも電極が含まれる機能水生成手段を容易に作動させることができるようにする機能水生成装置を提供することにある。
【課題を解決するための手段】
【００１６】
前記のような目的を達成するために本発明による“機能水生成装置”は、内部に機能水生成手段が内蔵して上、下部が上板と下板で塞いでいる容器と、前記上板の中央に容器の内部と連通されるように形成されて、水差しの開口部を分離可能に連結する水差し連結部と、を含むことを特徴とする。
【００１７】
また、本発明による“機能水生成装置”の前記水差し連結部は、前記上板の中央に下部に突き出されるように垂直で立てられて、内部の周りには水差しの開口部の外周面に形成されるねじ部が締結される第１タップ部が形成される第１連結管、を含むことを特徴とする。
【００１８】
また、本発明による“機能水生成装置”の前記水差し連結部は、前記第１タップ部に分離可能に締結されて水差しの開口部の外周面に形成されるねじ部が締結される第２連結管と、をさらに含んで、前記第２連結管は、下部に形成されて外周縁には前記第１タップ部に締結される連結ねじ部が形成される縮管部と、該縮管部の上部に内径が拡張されるように一体で延長形成されて、内周縁には前記第１タップ部のピッチ円よりピッチ円が拡張された第２タップ部が形成される拡管部と、を含むことを特徴とする。
【００１９】
また、本発明による“機能水生成装置”の前記水差し連結部は、円筒形状に形成されて前記第２連結管の第２タップ部の内部に挿入されて内部の上部周りには面取り部が形成されて水差しの開口部の外周面に形成される周り突起が圧接嵌合で挿入されるゴム材質の連結パッキング管、をさらに含むことを特徴とする。
【００２０】
また、本発明による“機能水生成装置”の前記機能水生成手段は、粒子形態や単一で固形化された形態のアルカリ還元剤で構成されて、前記第１連結管の下部には複数の水通過ホールが形成される水通過板がさらに固定されることを特徴とする。
【００２１】
また、本発明による“機能水生成装置”の前記容器は、前記上板の周り上部に突き出されるように形成される周り突出板と、該周り突出板の外周面に形成される上部締結ねじ部と、周り板の内周面には前記上部締結ねじ部に分離可能に締結される締結タップ部が形成されて、容器の上部をカバーする分離開閉カバー、をさらに含むことを特徴とする。
【００２２】
また、本発明による“機能水生成装置”の前記容器は、容器の外周面の下部に形成されて前記分離開閉カバーの周り板に形成される締結タップ部が締結される下部締結ねじ部、をさらに含むことを特徴とする。
【００２３】
また、本発明による“機能水生成装置”の前記機能水生成手段は、前記容器１の下板の上部に装着固定される充電池を有する充電部と、該充電部と連結されて容器の周りに引き出しされる公知された電気供給ジャックと、前記充電部の上部に配置固定されて充電部と連結される基板と、該基板と連結されて容器の周りに引き出しされるスイッチと、前記基板の上部に水平で配置固定されて水を電気分解する電極、を含むことを特徴とする。
【発明の効果】
【００２４】
前述したような本発明は、開口部が規格化されて市販される水差しをすぐ連結して水差しに満たされた水を酸素水、殺菌奪取水、水素水、イオン水(還元水)のうち一つの機能水に還元させることができるようにして水を満たす空間を必要ないようにすることによって、嵩を最小限に減らすことで運動や旅行などの野外活動をする場合に運びの便利性を提供することができる効果がある。
【００２５】
また、本発明は、ねじ部が形成された開口部の外径が小さな水差しや、ねじ部が形成された開口部の外径が大きい水差し、または周り突起が形成された開口部を有した水差しを互換的に連結できるようにすることで、合成樹脂材や硝子材で構成されて現在市販中の規格化された水差しをほとんど連結して使用することができる効果もある。
【００２６】
また、本発明は、第１連結管の下部に水通過板を具備することによって粒子形態のアルカリ還元剤が水差しに流入されることを防止することで、アルカリ還元剤の損失を予防する使用上の安全性が確保された機能水生成装置を提供する効果もある。
【００２７】
また、本発明は、容器の上板周りに水差しの上部周りが密着される周り突出板を形成することによって、水差しを覆した状態で水差しが傾くことを防止することで、水差しを流動させて水を機能水に還元させる過程で安全性を確保することができる効果もある。そして、容器の上部に分離開閉カバーを具備することで容器の内部にほこりなどの異物が流入されることを防止することで、もう少し衛生的な機能水生成装置を提供する効果もある。
【００２８】
また、本発明は、容器の外周面の下部に分離開閉カバーを保管されるように締結することができる下部締結ねじ部を形成することで、分離開閉カバーの紛失を予防することができる効果もある。
【００２９】
また、本発明は、電極が含まれる機能水生成手段を充電部を通じて作動させることによって、室内または野外でも電極が含まれる機能水生成手段を容易に作動させることができるようにすることで、使用上の便利性を提供する効果もある。
【図面の簡単な説明】
【００３０】
【図１】本発明による機能水生成装置を示した斜視図である。
【図２】本発明による機能水生成装置を示した分解斜視図である。
【図３】図１のＡ-Ａ線断面図である。
【図４】本発明による機能水生成装置の使用状態図を示したものであり、ａは開口部の外径が小さな水差しを連結した状態を、ｂは開口部の外径が大きい水差しを連結した状態を、ｃは開口部に突き出突起が形成された水差しを連結した状態を示す。
【図５】本発明による他の実施例の機能水生成装置を示した断面図。
【発明を実施するための形態】
【００３１】
以下、本発明の望ましい実施例が図示された添付図面を参照してより詳細に説明すれば次のようである。しかし、本発明は複数の相異な形態で具現されることができるし、記述された実施例に制限されないことを理解しなければならない。
【００３２】
図１は、本発明による機能水生成装置を示した斜視図であり、図２は本発明による機能水生成装置を示した分解斜視図であり、図３は図１のＡ-Ａ線断面図である。そして、図４は本発明による機能水生成装置の使用状態図を示したものであり、図４ａは開口部の外径が小さな水差しを連結した状態を、図４ｂは開口部の外径が大きい水差しを連結した状態を、図４ｃは開口部に突き出た突起が形成された水差しを連結した状態を示す。
【００３３】
ここに図示されたように、本発明による機能水生成装置は、規格化された水差し１０の開口部２０を連結して使用するものであり、内部に機能水生成手段４が内蔵されて上、下部が上板１１と下板１２で塞がっている容器１と、前記上板１１の中央に容器１の内部と連通されるように形成されて水差し１０の開口部２０を分離可能に連結する水差し連結部２と、を含む。
【００３４】
前記容器１は内部を肉眼で確認できるように透明または半透明で構成されるのが望ましい。そして、前記容器１は円筒状や多角筒状または球形上で形成されることができるが、添付された図面では円筒状で形成された状態を図示した。併せて、前記下板１２は容器１を底に容易に立てるように水平で形成されることが望ましい。また、前記上板１１は容器１の上部をカバーすることで、前記容器１の内部に前記機能水生成手段４を収納した後、前記上板１１を容器１の上部周りに超音波で付着固定するのが一番望ましい。
【００３５】
前記上板１１の周り上部には水差しを覆した状態で水差しの上部周りが密着されて水差し１０が傾くことを防止できるように、周り突出板１３が上部に突き出されるように形成されることが望ましい。よって、本発明は前記周り突出板１３を通じて、水差し１０を覆した状態で水差し１０が傾くことを防止することで、水差し１０を流動させて水を機能水に還元させる過程で安全性を確保することができるものである。
【００３６】
前記周り突出板１３の外周面には、上部締結ねじ部１３１がさらに形成されることができるし、前記上部締結ねじ部１３１には前記容器１の上部を分離可能にカバーする分離開閉カバー１４がさらに具備されることもできるものである。そして、前記分離開閉カバー１４は容器１の上部をカバーして水差し連結部２にほこりなどの異物が流入されることを防止する役割をするものであり、周り板１４１を含んで、周り板１４１の内周面には前記上部締結ねじ部１３１に分離可能に締結される締結タップ部１４２が形成されるものである。
【００３７】
前記容器１の外周面の下部には、前記分離開閉カバー１４を保管されるように締結できるように、前記分離開閉カバー１４の周り板１４１に形成される締結タップ部１４２が締結される下部締結ねじ部１５がさらに形成されることが望ましい。よって、本発明は容器１の外周面の下部に分離開閉カバー１４を保管されるように締結することができる下部締結ねじ部１５を形成するものであり、水差し１０の水を機能水に還元させた後水を飲む過程で、前記分離開閉カバー１４の紛失を予防することができるものである。
【００３８】
また、本発明による前記水差し連結部２は図２〜図４に示されたように、前述したように前記上板１１の中央に容器１の内部と連通されるように形成されて水差し１０の開口部２０を分離可能に連結する役割をする。
【００３９】
このような役割をする前記水差し連結部２は、ねじ部３０が形成された規格化された開口部２０の外径が小さな水差し１０を連結できるように、図２及び図４ａに示されたように、前記上板１１の中央に下部に突き出されるように垂直で立てられて内部の周りには水差し１０の開口部２０の外周面に形成されるねじ部３０が締結される第１タップ部２１１が形成される第１連結管２１で構成されるのが望ましい。併せて、前記水差し１０の開口部２０は公知されたもので管形状で形成されて、外周面には水差しのふたを締結するためのねじ部３０が形成されているものである。
【００４０】
そして、前記水差し連結部２は、ねじ部３０が形成された規格化された開口部２０の外径が大きい水差し１０を連結できるように、図２及び図４ｂに示されたように、前記第１タップ部２１１に分離可能に締結されて水差し１０の開口部２０の外周面に形成されるねじ部３０が締結される第２連結管２２をさらに含むこともできる。併せて、前記第２連結管２２は下部に形成されて外周縁には前記第１タップ部２１１に締結される連結ねじ部２２１aが形成される縮管部２２１と、該縮管部２２１の上部に内径が拡張されるように一体で延長形成されて内周縁には前記第１タップ部２１１のピッチ円よりピッチ円が拡張された第２タップ部２２２ａが形成される拡管部２２２で構成されるのが望ましい。
【００４１】
併せて、前記水差し連結部２は、突き出突起４０を有した規格化された開口部２０が形成された水差し１０を連結できるように、図２及び図４ｃに示されたように、円筒形状で形成されて前記第２連結管２２の第２タップ部２２２ａの内部に挿入されて内部の上部周りには面取り部２３１が形成されて水差し１０の開口部２０の外周面に形成される周り突起４０が圧接嵌合に挿入されるゴム材質の連結パッキング管２３をさらに含むこともできる。特に、前記水差し１０の開口部２０は公知されたもので管形状で形成されて、外周水差しのふたを圧縮して装着する周り突起４０が形成されているものである。
【００４２】
したがって本発明は、前記第１連結管２１を通じてねじ部３０が形成された開口部２０の外径が小さな水差し１０を容器１に連結することができるし、また、前記第２連結管２２を通じてねじ部３０が形成された開口部２０の外径が大きい水差し１０を容器１に連結することができるし、また周り突起４０が形成された開口部２０を有した水差し１０を容器１に連結することができるものである。それで、本発明は合成樹脂材や硝子材で構成されて、現在市販中の規格化された水差し１０をほとんど互換的に連結して使用することができる長所があるものである。
【００４３】
また、本発明による前記機能水生成手段４は、図３に示されたように、水差し１０に満たされた水をイオン水(還元水)に還元させることができるように、粒子形態や単一で固形化された形態のアルカリ還元剤４１で構成されることができるが、このように粒子形態や固形化された形態のアルカリ還元剤４１は既に公知されたもので、その具体的な説明は略する。
【００４４】
一方、前記第１連結管２１の下部には粒子形態のアルカリ還元剤４１が水差しに流入されることを防止できるように、複数の水通過ホール２１２ａが形成される水通過板２１２がさらに固定されることが望ましい。そして、前記水通過板２１２は超音波で前記第１連結管２１の下部に付着固定されることが一番望ましい。
【００４５】
以下、前記のように構成された本発明による機能水生成装置の使用状態を説明すれば次のようである。
【００４６】
図１〜図４に示されたように、本発明による機能水生成装置を使用する場合には、先ず容器１の上部をカバーする分離開閉カバー１４を分離する。そして、容器１を覆して水差し１０の上部に位置された開口部２０に第１連結管２１を締結することで、水差し１０の上部に容器１を連結する。
【００４７】
次に水差し１０を覆して機能水生成装置を正しく立てた状態で水差し１０と容器１を振ってくれるか、または水差し１０を立てて覆す過程を繰り返すようになれば、容器１内部に満たされた機能水生成手段４であるアルカリ還元剤と容器１に流入される水差し１０の水が接触されることで、容器１の満たされる水がイオン水に還元される。よって、水差し１０を振るか、または何回立てて覆す過程を繰り返すようになれば、水差し１０に満たされた水が容器１を出入りするようになることで、水差し１０に満たされた水がイオン水に還元される。
【００４８】
次に水差し１０を正しく立てた状態で容器１を水差し１０から分離した後、水差し１０に満たされるイオン水を飲用することで、本発明による機能水生成装置を使用することができるものである。
【００４９】
したがって、本発明は開口部２０が規格化されて市販される水差し１０の開口部２０を容器１にすぐ連結して水差し１０に満たされた水をイオン水に還元させて飲用することができる長所があるものである。
【００５０】
併せて、本発明は、市中に市販される水差し１０を連結する構造で構成されることで、水を満たす空間を別に形成する必要がないことによって、携帯が簡便に嵩を最小限に減らすことができる。それで、本発明による機能水生成装置は、嵩が小さくて運動や旅行などの野外活動をする場合に運搬が便利な長所があるものである。
【００５１】
図５は、本発明による他の実施例の機能水生成装置を示した断面図である。
【００５２】
本発明による他の実施例の機能水生成装置は、図５に示されたように、機能水生成手段４を除いて残り構成は上述した一実施例の機能水生成装置をすべて含むことを前提とする。
【００５３】
したがって、本発明による他の実施例の機能水生成装置を構成する機能水生成手段４は、図５に示されたように、電極を利用した電気分解を通じて水差しの水を酸素水や殺菌奪取水または水素水のような機能水に還元させることができるように、前記容器１の下板の上部に装着固定される充電池４２１を有する充電部４２と、該充電部４２と連結されて容器１の周りに引き出しされる公知された電気供給ジャック４３と、前記充電部４２の上部に配置固定されて充電部４２と連結される基板４４と、該基板４４と連結されて容器１の周りに引き出しされるスイッチ４５と、前記基板４４の上部に水平で配置固定されて水を電気分解する電極４６で構成されるのが望ましい。
【００５４】
そして、前記電極４６は、電気の供給を通じて水を電気分解させて水を酸素水や殺菌奪取水または水素水のような機能水に還元させる役割をする。そして、このような電極４６は白金、チタンなどがメッキされるものであるが、前記電極と電極に電気を供給する基板は既に多くの種類が公知されていることによって、その具体的な説明は略することにする。併せて、前記充電部４２と基板４４は水が浸透されることを防止できるように表面に防水処理をすることが望ましい。
【００５５】
したがって、本発明による他の実施例の機能水生成装置を使用する場合には、水差しを容器に連結した後水差し１０を覆して機能水生成装置を正しく立てた状態で、容器１周りのスイッチ４５を操作して前記電極４６に電気を供給するようになれば、電極４６を通じて水が電気分解されることによって容器１に流入される水差し１０の水が酸素水や殺菌奪取水または水素水に還元される。よって、前記のように電極に電源を供給した状態で水差し１０を何回立てて覆す過程を繰り返すようになれば、水差し１０に満たされた水が容器１を出入りするようになることで、水差し１０に満たされた水が酸素水や殺菌奪取水または水素水のような機能水に還元される。
【００５６】
次に水差し１０を正しく立てた状態で容器１を水差し１０から分離した後、水差し１０に満たされる機能水を飲用することで、本発明による他の実施例の機能水生成装置を使用することができるものである。
【００５７】
以上で本発明の望ましい実施例を説明したが、本発明は多様な変化と変更及び均等物を使用することができる。本発明は、前記実施例を適切に変形して等しく応用することができることが明確である。したがって、前記記載内容は下記特許請求範囲の限界によって決まる発明の範囲を限定するものではない。
【００５８】
一方、本発明の詳細な説明では具体的な実施例に関して説明したが、本発明の範囲から脱しない限度内でさまざまな変形が可能であることを当該分野で通常の知識を有した者において自明であると言えるであろう。
【符号の説明】
【００５９】
１  容器
１１  上板
１２  下板
１３  周り突出板
１３１  上部締結ねじ部
１４  分離開閉カバー
１４１  周り板
１４２  締結タップ部
１５  下部締結ねじ部
２  水差し連結部
２１  第１連結管
２１１  第１タップ部
２１２  水通過板
２１２ａ  水通過ホール
２２  第２連結管
２２１  縮管部
２２１a  連結ねじ部、
２２２  拡管部
２２２ａ  第２タップ部
２３  連結パッキング管
２３１  面取り部
３  下部開閉カバー
３１  分離固定手段
３１１  下部タップ部
３１２  周り板
３１３  締結ねじ部
４  機能水生成手段
４１  アルカリ還元剤
４２  充電部
４２１  充電池
４３  電気供給ジャック
４４  基板
４５  スイッチ
４６  電極
１０  水差し
２０  開口部
３０  ねじ部
４０  突き出突起
【図１】
2017507774.tif 000003
【図２】
2017507774.tif 000004
【図３】
2017507774.tif 000005
【図４ａ】
2017507774.tif 000006
【図４ｂ】
2017507774.tif 000007
【図４ｃ】
2017507774.tif 000008
【図５】
2017507774.tif 000009
【国際調査報告】
2017507774.tif 000010
2017507774.tif 000011
2017507774.tif 000012
2017507774.tif 000013